(57)【要約】【課題】電子キーシステムにおいて、よりセキュリティ性を向上させることにある。【解決手段】電子キー１０は、施錠時に車載機２０から送信される共通コード信号を受信し、次の通信において電子キー１０は、過去数回の通信時に受信した共通コード信号の一部を抽出し、この抽出した一部からなる蓄積コードをレスポンス信号に含ませて送信する。車載機２０は、受信したレスポンス信号に過去数回の通信時に送信された共通コード信号の少なくとも一部が含まれているか否かを、蓄積コード照合を通じて判断する。車載機２０は、蓄積コード照合が成立したことを条件の一として各種制御を実行する。このように、電子キー１０の同一性を判断することで、上記不正な手段による車載機２０の制御を防止する。【選択図】図１
2011111845.tif 000002
【特許請求の範囲】
【請求項１】
ユーザに携帯される電子キーが特定の制御対象を制御する制御装置からの要求信号に応じて応答信号を送信することで前記制御装置との間で通信を行い、この通信が成立したときに前記制御装置が制御対象の制御を実行する電子キーシステムにおいて、
前記制御装置は、前記電子キーとの間で通信を行う際に、今回通信する前記電子キーと次回通信する前記電子キーとが同一であるか否かを確認するための共通コード信号を前記電子キーに送信し、
前記電子キーは、次回の通信時において、前回の通信の際に受信した前記共通コード信号の少なくとも一部を含む無線信号を送信し、
前記制御装置は、受信した前記無線信号に前回の通信において送信した前記共通コード信号の少なくとも一部が含まれている旨判断したとき、前回と今回の電子キーは同一である旨判定して、前記制御対象の制御を実行する電子キーシステム。
【請求項２】
請求項１に記載の電子キーシステムにおいて、
前記電子キーは、前回の通信以前に受信した過去所定回分の前記各共通コード信号の少なくとも一部を前記無線信号に含ませて送信し、
前記制御装置は、受信した前記無線信号に、前回の通信以前に送信した過去所定回分の前記各共通コード信号の少なくとも一部が含まれている旨判断したとき、前記制御対象の制御を実行する電子キーシステム。
【請求項３】
請求項１又は２に記載の電子キーシステムにおいて、
前記制御対象はドアロック装置であって、
前記制御装置は前記ドアロック装置を通じてドアの施錠制御を実行したときに、前記共通コード信号を送信する電子キーシステム。
【発明の詳細な説明】
【技術分野】
【０００１】
この発明は、無線通信にて制御対象の制御を可能とする電子キーシステムに関する。
【背景技術】
【０００２】
従来、車両用の電子キーシステムでは、電子キーと、車両に搭載される車載機との間での各種信号の送受信を通じてＩＤコード照合及びレスポンスコード照合が成立したときに車両ドア錠の施解錠、エンジン始動等が可能とされている。具体的には、電子キー及び車載機には同一のＩＤコード及び暗号鍵が記憶されている。そして、車載機から送信される要求信号に応じて、電子キーはＩＤコードを含む応答信号を送信する。車載機は、受信した応答信号に含まれるＩＤコードと、自身に記憶されるＩＤコードとの照合を行う。
【０００３】
また、車載機から送信される要求信号にはチャレンジコードが含まれている。電子キーは、受信した要求信号に含まれるチャレンジコードを、自身が記憶する暗号鍵を用いて暗号化することで、レスポンスコードを生成する。そして、電子キーは、レスポンスコードをＩＤコードとともに前記応答信号に含ませて送信する。車載機は、上記のようにチャレンジコードを含む要求信号を送信するとともに、自身が記憶する暗号鍵を用いてレスポンコードを生成する。そして、車載機は、受信した応答信号に含まれるレスポンスコードと、自身で生成したレスポンスコードとの照合を行う。このように、車載機は、電子キーとの間でＩＤコード照合及びレスポンスコード照合を行うことで、電子キーシステムのセキュリティ性を高めることができる（例えば、特許文献１参照。）。
【先行技術文献】
【特許文献】
【０００４】
【特許文献１】特開２００８−１２７８９４号公報
【発明の概要】
【発明が解決しようとする課題】
【０００５】
ところで、近年の通信技術の発達に伴い、要求信号及び応答信号が第三者により傍受されてＩＤコードが不正に取得されるおそれがある。また、例えば、暗号鍵の盗難等によって同暗号鍵が解読されるおそれがある。これにより、不正にレスポンスコードが生成され、レスポンスコード及びＩＤコードを含む応答信号が車載機に送信された場合、不正に車両ドアが解錠等されることが懸念されている。なお、こうした問題は、車両用の電子キーシステムに限らず、例えば住宅用の電子キーシステムにおいても同様に生じうる。こうした状況にあって、上述した不正手段に対して、さらなるセキュリティ性の向上が望まれていた。
【０００６】
この発明は、こうした実情に鑑みてなされたものであり、その目的は、よりセキュリティ性を向上させた電子キーシステムを提供することにある。
【課題を解決するための手段】
【０００７】
以下、上記目的を達成するための手段及びその作用効果について説明する。
請求項１に記載の発明は、ユーザに携帯される電子キーが特定の制御対象を制御する制御装置からの要求信号に応じて応答信号を送信することで前記制御装置との間で通信を行い、この通信が成立したときに前記制御装置が制御対象の制御を実行する電子キーシステムにおいて、前記制御装置は、前記電子キーとの間で通信を行う際に、今回通信する前記電子キーと次回通信する前記電子キーとが同一であるか否かを確認するための共通コード信号を前記電子キーに送信し、前記電子キーは、次回の通信時において、前回の通信の際に受信した前記共通コード信号の少なくとも一部を含む無線信号を送信し、前記制御装置は、受信した前記無線信号に前回の通信において送信した前記共通コード信号の少なくとも一部が含まれている旨判断したとき、前回と今回の電子キーは同一である旨判定して、前記制御対象の制御を実行することをその要旨としている。
【０００８】
同構成によれば、電子キーは、前回の通信の際に制御装置から送信される共通コード信号を受信する。そして、次回の通信において、電子キーは、前回の通信に受信した共通コード信号の少なくとも一部を無線信号に含ませて送信する。制御装置は、受信した無線信号に前回の通信時に送信された前記共通コード信号の少なくとも一部が含まれているか否か判断する。制御装置は、受信した無線信号に前回の通信時に送信された共通コード信号の少なくとも一部が含まれる旨判断したとき、制御対象の制御を実行する。一方、制御装置は、受信した無線信号に前回の通信時に送信された共通コード信号の少なくとも一部が含まれていない旨判断したとき、前回の通信と次回の通信とで使用される電子キーが同一でないとして、制御対象の制御を実行しない。具体的には、この場合、次回の通信において正規の電子キーからではなく、不正な手段にて応答信号が送信されているおそれがある。このように、前回及び今回の通信に利用される電子キーの同一性を保証することで、上記不正な手段による制御対象の制御を防止する。これにより、電子キーシステムのセキュリティの向上が図れる。
【０００９】
請求項２に記載の発明は、請求項１に記載の電子キーシステムにおいて、前記電子キーは、前回の通信以前に受信した過去所定回分の前記各共通コード信号の少なくとも一部を前記無線信号に含ませて送信し、前記制御装置は、受信した前記無線信号に、前回の通信以前に送信した過去所定回分の前記各共通コード信号の少なくとも一部が含まれている旨判断したとき、前記制御対象の制御を実行することをその要旨としている。
【００１０】
同構成によれば、電子キーは、前回の通信以前の過去所定回の各共通コード信号の少なくとも一部を無線信号に含ませて送信する。具体的には、無線信号に、前回の通信以前に送信した過去所定回の各共通コード信号の少なくとも一部が含まれている旨判断される場合、電子キーの同一性が保証される。これにより、前回の通信時に共通コード信号が傍受された場合であっても、不正に上記無線信号と同一信号を生成することができない。従って、不正に制御装置を通じて制御対象が制御されることはない。以上により、今回の通信において利用される電子キーと、前回の通信のみならず、それ以前の通信に利用された電子キーとの同一性の保証が可能となる。これにより、いっそう電子キーシステムのセキュリティ性の向上が図れる。
【００１１】
請求項３に記載の発明は、請求項１又は２に記載の電子キーシステムにおいて、前記制御対象はドアロック装置であって、前記制御装置は前記ドアロック装置を通じてドアの施錠制御を実行したときに、前記共通コード信号を送信することをその要旨としている。
【００１２】
同構成によれば、ドアの施錠時に制御装置から電子キーに共通コード信号が送信される。すなわち、ドアの施錠時における共通コード信号の送信によって次回の通信に備えて、電子キーの同一性の判断基準が更新されるため、次回のドアの解錠に係る通信時には更新された判断基準にて電子キーの同一性の判断がされる。ここで、ドアの解錠時に電子キーの同一性の保証がされれば、それ以降ドア解錠時までに、不正に通信が行われる可能性は低い。これは、例えば、制御装置が車両又は住宅の場合、不正に通信が行われるのは、主にユーザが車両又は住宅から離れたとき、すなわちドア施錠状態のときだからである。このように、施錠時に判断基準を更新することで、不正の通信が実行され易い解錠に係る通信時には更新された判断基準にて電子キーの同一性の判断がされる。よって、電子キーシステムのセキュリティ性を確保しつつ、ドア解錠時等における共通コード信号の送信を省略できる。
【発明の効果】
【００１３】
本発明によれば、電子キーシステムにおいて、よりセキュリティ性を向上させることができる。
【図面の簡単な説明】
【００１４】
【図１】電子キーシステムの構成図。
【図２】各種信号のタイミングチャート。
【図３】共通コード及び更新前後の蓄積コードの構成図。
【発明を実施するための形態】
【００１５】
以下、本発明にかかる電子キーシステムを具体化した一実施形態について図１〜図３を参照して説明する。
図１に示されるように、電子キーシステム１は、車両２の運転者によって所持される電子キー１０と、車両２に搭載される車載機２０と、を備えている。電子キー１０と車載機２０との間で自動的に相互通信が行われ、その相互通信が車外及び車内にて成立したことを一条件としてドア錠の施解錠及びエンジンの始動が可能となる。
【００１６】
＜車載機＞
車載機２０は、ＣＰＵ、ＲＯＭ、ＲＡＭ等からなるコンピュータユニットを備えて構成されている。車載機２０は、図１に示すように、各種車載機器を制御する車載制御部２１と、その車載制御部２１に電気的に接続された車外送信部２２、車内送信部２３及び車載受信部２４とを備えている。
【００１７】
また、図１に示すように、車載制御部２１には、エンジン始動時に操作されるエンジンスイッチ３３と、自動で車両ドアの施解錠を行うドアロック装置３４と、車両２のエンジンを始動させるエンジン制御装置３５と、アウトサイドドアハンドル（図示略）に設けられてユーザの同ドアハンドルへの接触の有無を検出するドアハンドルセンサ３２と、同じくドアハンドルに設けられる施錠時に操作されるロックスイッチ３６とが電気的に接続されている。
【００１８】
車外送信部２２は、例えば、上記ドアハンドルの内部に設けられる。車外送信部２２は、車載制御部２１から要求信号が入力されると、その要求信号をＬＦ帯の無線信号に変調して、この変調された要求信号を一定の間欠周期で車外送信アンテナ２２ａを介して車両２の周辺に設定される車外通信エリアに送信する。
【００１９】
車内送信部２３は、車内に設けられるとともに、車載制御部２１から要求信号が入力されると、その要求信号をＬＦ帯の無線信号に変調して、この変調された要求信号を一定の間欠周期で車内送信アンテナ２３ａを介して車内に設定される車内通信エリアに送信する。
【００２０】
車載受信部２４は、受信アンテナ２４ａを介して電子キー１０から送信される応答信号を受信すると、この信号をパルス信号に復調し、この復調された応答信号を車載制御部２１へ出力する。
【００２１】
車載制御部２１は、例えば、ＥＥＰＲＯＭ等からなる不揮発性のメモリ２１ａを備え、そのメモリ２１ａには対応する電子キー１０に設定されたＩＤコードと同一のＩＤコード、後述する多数の共通コードが羅列されるデータからなる共通コード群、及びレスポンスコードの算出に利用される暗号鍵、後述する共通コード信号に基づき更新される蓄積コードが記憶されている。
【００２２】
車載制御部２１は、車外送信部２２及び車内送信部２３に対して要求信号を間欠的にそれぞれ異なるタイミングで出力する。そして、車載制御部２１は車載受信部２４を通じて要求信号に応答して電子キー１０から送信された応答信号を受信する。
【００２３】
この応答信号には、ＩＤコード、蓄積コード及びレスポンスコードが含まれている。ここで、蓄積コードとは、簡単に説明すると、車両ドアの施錠毎に車載機２０から送信される共通コード信号Ｓｃｏに基づき更新されるコードである。蓄積コードは、電子キー１０及び車載機２０によりそれぞれ更新される。蓄積コード及び共通コード信号Ｓｃｏについては、詳しくは後述する。
【００２４】
車載制御部２１は、応答信号に含まれるＩＤコードとメモリ２１ａに記憶されたＩＤコードとの照合を行うとともに、応答信号に含まれる蓄積コード及び自身が更新してメモリ２１ａに記憶される蓄積コードの照合を行う。両照合が成立した際、車載制御部２１は、電子キー１０から送信された応答信号が車外送信部２２、車内送信部２３のどちらから送信された要求信号に応答したものであるかに基づいて、車外照合又は車内照合の何れが成立したかを判断する。なお、車外送信部２２を介して車外に存在する電子キー１０との間で上記両照合を行うことを車外照合といい、車内送信部２３を介して車内に存在する電子キー１０との間で上記両照合を行うことを車内照合という。
【００２５】
車両ドアの施錠状態において車外照合が成立した場合には、車載制御部２１は、車両ドア解錠可能状態とする。この解錠可能状態において、車載制御部２１はユーザがドアハンドル（図示略）に触れたことを、ドアハンドルセンサ３２を通じて検知したとき、ドアロック装置３４を介して車両ドアを解錠する。
【００２６】
また、車両ドアの解錠状態において車外照合が成立した場合、車載制御部２１は、ドアハンドルに設けられるロックスイッチ３６の操作を検知すると、ドアロック装置３４を介して車両ドアを施錠する。ドアロック装置３４を通じて実際に施錠状態が検出されたとき、車載制御部２１は、メモリ２１ａに記憶される共通コード群のうちランダムに一つを選択し、この選択された共通コードからなる共通コード信号Ｓｃｏを、車外送信部２２を介して車外通信エリアに送信する。また、車載制御部２１は、選択した共通コードに基づき蓄積コードを更新する。蓄積コードの更新方法については、後で詳述する。
【００２７】
また、車内照合が成立した場合にはエンジンの始動が許可された状態とされる。この状態において、運転席近傍に設置されるエンジンスイッチ３３が操作されると、その操作信号が車載制御部２１に出力される。車載制御部２１は、エンジン始動許可状態において前記操作信号を検知すると、エンジン制御装置３５に指令信号を出力する。エンジン制御装置３５は、当該指令信号に基づき、図示しないセルモータを駆動させてエンジンを始動させる。
【００２８】
＜電子キー＞
電子キー１０は、無線通信機能を有し、車載機２０との相互通信を通じて、各種車載機器の制御を行う。電子キー１０は、ＣＰＵ、ＲＯＭ、ＲＡＭ等からなるコンピュータユニットによって構成された電子キー制御部１１と、その電子キー制御部１１に電気的に接続されてＬＦ帯の無線信号を受信するＬＦ受信部１２と、ＵＨＦ帯の無線信号を送信するＵＨＦ送信部１３とからなる。
【００２９】
ＬＦ受信部１２は、車載機２０から送信されるＬＦ帯の無線信号である要求信号及び共通コード信号Ｓｃｏを受信すると、これら要求信号及び共通コード信号Ｓｃｏをパルス信号に復調し、この復調された信号を電子キー制御部１１へ出力する。電子キー制御部１１は、復調された共通コード信号Ｓｃｏに含まれる共通コードの一部を抽出し、抽出したコードに基づき蓄積コードを更新する。このように、共通コード信号Ｓｃｏを受信する毎に蓄積コードが更新されるとともに、この更新された蓄積コードがメモリ１１ａに記憶される。
【００３０】
電子キー制御部１１には、例えば、ＥＥＰＲＯＭ等からなる不揮発性のメモリ１１ａが設けられる。メモリ１１ａには上記蓄積コード、電子キー１０に固有のＩＤコード及びチャレンジコードの暗号化に利用される暗号鍵が記憶されている。電子キー制御部１１は、ＬＦ受信部１２から復調された要求信号が入力されると、受信データを読み取るとともに、メモリ１１ａに登録されたＩＤコード及び蓄積コードを含む応答信号をＵＨＦ送信部１３へ出力する。そして、電子キー１０は、ＵＨＦ送信部１３を介してＵＨＦ帯の無線信号である応答信号を車両２側へ送信する。前述のように、車両側で当該応答信号による車内照合及び車外照合が成立したとき、車両ドアの施解錠やエンジンの始動が可能となる。
【００３１】
次に、車両ドアの施錠を例にとって車載機２０及び電子キー１０間で送受信される要求信号、応答信号及び共通コード信号Ｓｃｏについて、詳細に説明する。
ここで、上記要求信号及び応答信号は、それぞれ単一の信号ではなく、複数の信号からなる。すなわち、要求信号は、図２に示すように、ウェイク信号Ｓｗｋと、ビークルＩＤ信号Ｓｖｉと、チャレンジ信号Ｓｃｃとからなり、応答信号はアック信号Ｓａｃと、レスポンス信号Ｓｒｅとからなる。なお、前述した要求信号は主にチャレンジ信号Ｓｃｃに相当し、応答信号は主にレスポンス信号Ｓｒｅに相当する。
【００３２】
以下、降車に伴う車外照合の場合について説明する。車両ドアが解錠状態において、車載制御部２１は、図２の上段に示すように、車外通信エリアに電子キー１０が存在するか否かを確認すべく、車外送信アンテナ２２ａからウェイク信号Ｓｗｋを断続的に発信させる。このウェイク信号Ｓｗｋは、待機状態にある電子キー１０を起動状態とする指令信号であって、一定間隔をおいて車外送信アンテナ２２ａから繰り返し発信される。
【００３３】
電子キー１０が前記車外通信エリアに入り込んでこのウェイク信号Ｓｗｋを受信すると、電子キー１０はこの受信を契機として待機状態から起動状態に動作状態が切り換わる。電子キー１０は、このとき正常に起動状態をとると、その旨を通知すべく車両２に向けてアック信号Ｓａｃを返信する。
【００３４】
車載制御部２１は、アック信号Ｓａｃを受信すると、電子キー１０が車外通信エリアに存在すると判断する。そして、車載制御部２１は、車外送信部２２を介して電子キー１０に車両２を識別させるべくビークルＩＤ信号Ｓｖｉを送信する。
【００３５】
電子キー１０は、ビークルＩＤ信号Ｓｖｉを受け付けると、このビークルＩＤ信号Ｓｖｉが正常コードであるか否かを確認するビークルＩＤ照合を通じて、車両２が自身に対応する正規の車両であるか否かの判定を行う。このように、ビークルＩＤ照合を行うことで、電子キー１０の周囲に複数の車両が存在して、同複数の車両からウェイク信号Ｓｗｋを受信する状況になっても、キーは正規車両のみとビークルＩＤ照合以降の通信を行うことができる。
【００３６】
図２に示すように、電子キー１０は、このビークルＩＤ照合が成立した事を認識すると、その旨を通知すべく車両２に向けてアック信号Ｓａｃを返信する。車載制御部２１は、ビークルＩＤ信号Ｓｖｉを発信した後に正常にアック信号Ｓａｃを受信すると、電子キー１０との間でビークルＩＤ照合が成立したと認識し、車外通信エリア内に存在する電子キー１０が自身とペアをなすものであると認識する。
【００３７】
この後、車載制御部２１は、チャレンジ信号Ｓｃｃを車外送信アンテナ２２ａから発信させる。チャレンジ信号Ｓｃｃは、乱数として用いるチャレンジコードと、車両２側に登録された電子キー１０のキー番号とからなる。
【００３８】
電子キー１０は、車両２からチャレンジ信号Ｓｃｃを受信すると、この時に受け付けたキー番号と自身に登録されたキー番号とを照らし合わせて番号照合を行い、自身が通信対象であるか否かを判断する。
【００３９】
電子キー１０は、この番号照合を通じて自身が通信対象である旨判断されるとき、レスポンス信号Ｓｒｅを車両２側に返信する。レスポンス信号Ｓｒｅは、メモリ１１ａに記憶されたＩＤコード、蓄積コード及びレスポンスコードを含む信号である。レスポンスコードは、チャレンジコードを、暗号鍵を用いて暗号化したコードである。蓄積コードは、施錠毎に車載機２０から発信される共通コード信号Ｓｃｏに基づき更新される。
【００４０】
詳しくは、両メモリ１１ａ，２１ａには、予め同一の蓄積コードが記憶されている。ここでは、図３の中段に示すように、ビットＡ〜Ｈの８ビットで蓄積コードが構成されている。電子キー制御部１１は、図３の上段に示すように、施錠毎にＬＦ受信部１２を通じて受信する共通コード信号Ｓｃｏの一部であるビットＩ，Ｊを抽出する。本例では、８ビットの信号の４ビット目及び５ビット目であるビットＩ，Ｊを抽出する。そして、図３の下段に示すように、蓄積コードのビットＣ〜Ｈは２ビット分だけ左にシフトされる。具体的には、ビットＣ〜Ｈが１〜６ビット目に書き込まれる。さらに、抽出されたビットＩ，Ｊは、蓄積コードの７ビット目及び８ビット目に設定される。すなわち、ビットＩが７ビット目に書き込まれ、ビットＪが８ビット目に書き込まれる。これにより、共通コードはビットＡ〜ＨからビットＣ〜Ｊに更新される。次回の施錠時においても上記同様に、共通コードの４ビット目及び５ビット目を抽出し、蓄積コードを２ビット分左にシフトしたうえで、これら抽出したビットを７ビット目及び８ビット目に設定する。このように施錠毎に蓄積コードは更新され、更新毎に蓄積コードはメモリ１１ａに記憶される。ちなみに、解錠時や車内照合成立時においては、蓄積コードは更新されずに、前回の施錠時に更新された蓄積コードが通信に利用される。
【００４１】
車載制御部２１は、レスポンス信号Ｓｒｅを受信すると、ＩＤ照合、レスポンスコード照合及び蓄積コード照合を行う。具体的には、車載制御部２１は、レスポンス信号Ｓｒｅに含まれるＩＤコードと、メモリ２１ａに記憶されたＩＤコードとを照らし合わせてＩＤ照合を行う。また、車載制御部２１は、チャレンジ信号Ｓｃｃを発信する際、自身が持つ暗号鍵によってチャレンジコードを暗号化することにより、自らもレスポンスコードを更新する。そして、車載制御部２１は、電子キー１０からレスポンス信号Ｓｒｅを車載受信部２４で受信すると、電子キー１０からのレスポンスコードと、自身が演算したレスポンスコードとを照らし合わせて、レスポンスコード照合を実行する。
【００４２】
さらに、車載制御部２１は、共通コード信号Ｓｃｏの送信毎に蓄積コードを更新する。当該蓄積コードの更新方法は上記電子キー制御部１１によるものと同様である。すなわち、車載制御部２１は、図３に示すように、共通コード信号Ｓｃｏの送信毎にそのコードの４ビット目及び５ビット目を抽出し、メモリ２１ａに記憶される蓄積コードを２ビット分シフトしたうえで、抽出されたビットを蓄積コードの７ビット目及び８ビット目に書き込み、同蓄積コードを更新する。更新された蓄積コードはメモリ２１ａに記憶される。そして、車載制御部２１は、レスポンス信号Ｓｒｅに含まれる蓄積コードと、自ら更新した蓄積コードとを照らし合わせて、蓄積コード照合を実行する。換言すると、車載制御部２１は、蓄積コード照合を通じて、蓄積コードに過去４回分の共通コード信号Ｓｃｏの一部が含まれているか否か判断する。すなわち、蓄積コード照合が成立した場合には、過去４回通信を行った電子キー１０と、今回通信を行った電子キー１０とは同一のものである旨の判定が可能となる。
【００４３】
そして、車載制御部２１は、レスポンスコード照合、ＩＤコード照合及び蓄積コード照合がすべて成立した旨判断すると、これを以て車外照合が成立したとして処理される。前述のように、車載制御部２１は、車両ドア解錠状態において、車外照合が成立したとき、ドアハンドルに設けられるロックスイッチ３６が操作された旨検知すると、ドアロック装置３４を介して車両ドアを施錠する。車載制御部２１は、ドアロック装置３４を通じて実際に施錠状態が検出されたときに（図２の時刻ｔ１）、共通コード信号Ｓｃｏを送信する。ここで、共通コード信号Ｓｃｏは、解錠時や車内照合成立時に送信されることはない。また、共通コード信号Ｓｃｏは、メモリ２１ａに記憶される共通コード郡からランダムに選択されたものである。電子キー制御部１１は、ＬＦ受信部１２を通じて共通コード信号Ｓｃｏを受信する。そして、電子キー制御部１１は、前述したように、共通コードに基づき蓄積コードを更新する。
【００４４】
以上のように、施錠毎に蓄積コードが更新されていくため、電子キーシステム１のセキュリティ性を向上させることができる。詳しくは、蓄積コードは暗号化処理されていないため、傍受により解析されるおそれがある。さらに、例えばＩＤコード及び暗号鍵が不正の手段により盗まれた場合には、レスポンス信号Ｓｒｅが送信されるおそれがある。しかし、レスポンス信号Ｓｒｅに含まれる蓄積コードは施錠毎に更新される。従って、たとえ不正手段によりレスポンス信号Ｓｒｅが送信されても、施錠時の蓄積コードの更新により、蓄積コード照合が不成立となるため、施解錠等を防止できる。よって、電子キーシステム１のセキュリティ性を向上できる。このように、施錠時の蓄積コードの更新により、施錠時において通信に利用された電子キー１０と、次回の解錠時において通信に利用される電子キー１０との同一性が保証される。
【００４５】
また、車両２及び電子キー１０間での通信時に信号が傍受される可能性が高い。そして、傍受した信号を基に不正に通信が行われるタイミングとしては、通常、ユーザが車両から離れているときである。ここで、ユーザが車両から離れる前には、車両ドアを施錠するため、共通コード信号Ｓｃｏが送信され、蓄積コードが更新される。よって、ユーザが車両から離れたときには、傍受した信号に含まれる蓄積コードとは異なる蓄積コードとなる。このように、施錠時に蓄積コードの更新が行われることで、電子キーシステム１のセキュリティ性を維持しつつ、蓄積コードの更新回数を最小限とすることができる。
【００４６】
また、ＩＤコード照合及びレスポンスコード照合に加えて、蓄積コード照合を行う。よって、従来のＩＤコード照合及びレスポンスコード照合のみを行っていた場合に比べて、全体としてのセキュリティ性を向上させつつ、レスポンスコード照合に要する暗号化レベルを下げられる。これにより、レスポンスコード照合に係る暗号化の処理負担を低減できる。従って、車載機２０及び電子キー１０間の通信処理の迅速化が図られるとともに、電子キー制御部１１及び車載制御部２１に要求される暗号処理能力の低減化が図られる。
【００４７】
以上、説明した実施形態によれば、以下の作用効果を奏することができる。
（１）電子キー１０は、施錠時に車載機２０から送信される共通コード信号Ｓｃｏを受信する。そして、次の通信において、電子キー１０は、過去数回（本例では４回）の通信時に受信した共通コード信号Ｓｃｏの一部を抽出し、この抽出した一部からなる蓄積コードをレスポンス信号Ｓｒｅに含ませて送信する。車載機２０は、受信したレスポンス信号Ｓｒｅに過去数回の通信時に送信された共通コード信号Ｓｃｏの一部が含まれているか否かを、蓄積コード照合を通じて判断する。車載機２０は、蓄積コード照合が成立したとき、すなわち、受信したレスポンス信号Ｓｒｅに過去数回の通信時に送信された各共通コード信号Ｓｃｏの一部が含まれる旨判断したことを条件の一として制御を実行する。また、車載機２０は、蓄積コード照合が成立しないとき、すなわちレスポンス信号Ｓｒｅに過去数回の通信時に送信された各共通コード信号Ｓｃｏの一部が含まれていない旨判断したとき、今回通信に供される電子キー１０と、過去数回の通信に供された電子キー１０とが同一でないとして、制御を実行しない。具体的には、この場合、正規の電子キー１０からでなく、不正な手段にて信号が送信されているおそれがある。このように、電子キー１０の同一性を判断することで、上記不正な手段による車載機２０の制御を防止する。これにより、電子キーシステム１のセキュリティの向上が図れる。
【００４８】
（２）電子キー１０は、過去数回分の共通コード信号Ｓｃｏの一部からなる蓄積コードをレスポンス信号Ｓｒｅに含ませて送信する。よって、レスポンス信号Ｓｒｅに含まれる共通コードは、前回の通信以前に車載機２０から送信される過去数回分の共通コード信号Ｓｃｏに応じたものになる。具体的には、レスポンス信号Ｓｒｅに、前回の通信以前に送信した過去所定回分の各共通コード信号Ｓｃｏの一部が含まれている旨判断された場合、電子キーの同一性が保証される。これにより、たとえ、前回の通信の共通コード信号Ｓｃｏが傍受された場合であっても、それ以前の共通コード信号Ｓｃｏが傍受されない限り、不正な手段によって車載機２０を通じて車両ドアの解錠等がされることはない。すなわち、今回の通信において利用される電子キー１０と、前回の通信のみならず、それ以前の通信に利用された電子キー１０との同一性の判断が可能となる。これにより、いっそう電子キーシステム１のセキュリティ性の向上が図れる。
【００４９】
（３）ドアの施錠時に車載機２０から電子キー１０に共通コード信号Ｓｃｏが送信されると、次回の通信において同共通コード信号Ｓｃｏの一部を含むレスポンス信号Ｓｒｅが車載機２０に送信される。具体的には、共通コード信号Ｓｃｏの一部が蓄積コードに反映（更新）され、その蓄積コードがレスポンス信号Ｓｒｅに付加されて、同レスポンス信号Ｓｒｅが送信される。すなわち、ドアの施錠時に次回の通信に備えて車載機２０による電子キー１０の同一性の判断基準（蓄積コード）が更新されるため、次回のドアの解錠に係る通信時には更新された判断基準（蓄積コード）にて電子キー１０の同一性の判断がされる。ここで、ドアの解錠時に電子キー１０の同一性の保証がされれば、それ以降ドア施錠時までに、不正に通信が行われる可能性は低い。これは、不正に通信が行われるのは、主にユーザが車両から離れたとき、すなわち車両ドア施錠状態のときだからである。このように、施錠時に判断基準を更新することで、不正の通信が実行され易い解錠に係る通信時には更新された判断基準にて電子キー１０の同一性の判断がされる。よって、電子キーシステム１のセキュリティ性を確保しつつ、例えば、ドア解錠時等における共通コード信号Ｓｃｏの送信及び蓄積コードの更新を省略できる。
【００５０】
なお、上記実施形態は、これを適宜変更した以下の形態にて実施することができる。
・上記実施形態においては、専用の電子キー１０を利用した電子キーシステム１であったが、携帯電話を利用した電子キーシステムであってもよい。近年、例えば、キーＩＤ等の情報をメール等で携帯電話に送信可能とするシステムの導入が検討されている。本システムにおいては、キーＩＤ情報を持つ携帯電話と車両との間で、キーＩＤを含む信号が送信され、車両ドアの解錠等が可能となる。このとき、上記実施形態同様に、車両から携帯電話に共通コード信号Ｓｃｏが送信される。よって、不正に携帯電話の持つキーＩＤが盗み出された場合であっても、共通コード信号Ｓｃｏに基づく蓄積コードの照合が成立しないため、不正な解錠等が防止できる。
【００５１】
・上記実施形態においては、共通コードのうち２ビットが抽出されていたが、抽出されるビット数はこれに限定されるものではない。例えば、１ビット又は３ビット以上を抽出して、それを蓄積コードに書き込んでもよい。書き込むにあたって、蓄積コードを抽出したビット数だけ左にシフトさせる。抽出するビット数を増加させる場合には、蓄積コードのビット数を増やすことが好ましい。また、共通コード信号Ｓｃｏの全ビットを蓄積コードに含ませてもよい。この場合、蓄積コードのビット数を多くする若しくは共通コード信号Ｓｃｏのビット数を少なくすることが好ましい。
【００５２】
・上記実施形態においては、共通コードの４ビット目及び５ビット目が抽出されていたが、抽出するビット位置はこれに限定されるものではない。例えば、１ビット目及び２ビット目を抽出してもよい。
【００５３】
・上記実施形態においては、蓄積コードは８ビットであったが、蓄積コードのビット数はこれに限定されない。蓄積コードのビット数が増えるにつれ、さらに以前の施錠時の共通コード信号Ｓｃｏに含まれるビットが蓄積コードに反映されるため、よりセキュリティ性を向上させることができる。
【００５４】
・上記実施形態においては、過去４回分の共通コード信号Ｓｃｏが蓄積コードに反映されていたが、少なくとも前回の共通コード信号Ｓｃｏが蓄積コードに反映されていれば、傍受による不正な車両ドアの解錠を防止できる。傍受によっては、遡って前回の共通コード信号Ｓｃｏを知ることはできないからである。具体的には、例えば、共通コードにおいて、全８ビット分を抽出し、それらを蓄積コードとして書き込む。これにより、施錠時に送信された共通コード信号Ｓｃｏのみが次回の蓄積コード照合に利用される。
【００５５】
・上記実施形態においては、蓄積コードは抽出されたビットＡ〜Ｈが順番に並べられて構成されていた。しかし、抽出されたビットの配列順序はこれに限定されない。この場合、電子キー１０及び車載機２０間で予め配列順序を取り決めておく必要がある。これにより、電子キーシステム１のセキュリティ性をいっそう向上させることができる。
【００５６】
・上記実施形態においては、施錠時に共通コード信号Ｓｃｏが送信されていたが、共通コード信号Ｓｃｏ送信のタイミングは施錠時に限らない。例えば、車内照合及び車外照合成立時に共通コード信号Ｓｃｏが送信されてもよい。この場合には、より高い頻度で蓄積コードの更新が行われるため、電子キーシステム１のセキュリティ性をより向上させることができる。また、蓄積コードの更新の頻度を下げてもよい。例えば、施錠時において、２回に１回、蓄積コードの更新を行うようにしてもよい。この場合、車載機２０及び電子キー１０間で予め蓄積コードの更新頻度を取り決める必要がある。
【００５７】
・上記実施形態においては、施錠毎に更新される蓄積コードの照合を通じて、通信に供される電子キー１０の同一性の判断が行われていた。しかし、蓄積コードに拠らなくても電子キー１０の同一性の判断は可能である。例えば、車載制御部２１は、共通コード信号Ｓｃｏの送信時に、自身の送信した共通コード信号Ｓｃｏをメモリ２１ａに記憶する。そして、車載制御部２１は、電子キー１０からのレスポンス信号Ｓｒｅに上記自身が送信した共通コード信号Ｓｃｏの一部が含まれているか否か判断する。これにより、前回及び今回通信で使用される電子キー１０の同一性の判断ができる。また、車載制御部２１は、過去数回分に亘って自身の送信した共通コード信号Ｓｃｏをメモリ２１ａに記憶して、受信したレスポンス信号Ｓｒｅに過去に送信した各共通コード信号Ｓｃｏの一部が含まれているか否か判断してもよい。これにより、過去数回に亘って通信が行われた電子キー１０と、今回通信に供される電子キーとの同一性の判断が可能となる。
【００５８】
・上記実施形態においては、蓄積コードは応答信号、詳しくはレスポンス信号Ｓｒｅに含まれて送信されていた。しかし、蓄積コードをレスポンス信号Ｓｒｅとは別の無線信号に含ませて送信してもよい。
【００５９】
・上記実施形態においては、蓄積コードは暗号化することなくレスポンス信号Ｓｒｅに含ませて送信されていた。しかし、蓄積コードを暗号化して送信してもよい。これにより、電子キーシステム１のセキュリティ性をいっそう向上させることができる。
【００６０】
・上記実施形態においては、レスポンスコード照合及びＩＤ照合が行われていたが、これらを省略してもよい。
・上記実施形態においては、車両用の電子キーシステム１に具体化されていたが、例えば住宅用の電子キーシステムに適用してもよい。
【００６１】
次に、前記実施形態から把握できる技術的思想をその効果と共に記載する。
（イ）請求項１〜３の何れか一項に記載の電子キーシステムにおいて、前記無線信号は応答信号である電子キーシステム。
【００６２】
同構成によれば、共通コード信号の少なくとも一部を応答信号に含ませて電子キーから送信される。よって、応答信号とは別の無線信号を送信することなく、電子キーの同一性を保証できる。
【００６３】
（ロ）前記（イ）に記載の電子キーシステムにおいて、前記電子キーは、前記応答信号に自身の識別コードを含ませて送信し、前記制御装置は、前記応答信号に前記共通コード信号の少なくとも一部が含まれている旨判断し、かつ、前記応答信号に含まれる前記識別コードが妥当である旨判断したとき、前記制御対象の制御を実行する電子キーシステム。
【００６４】
同構成によれば、制御装置により通信毎の電子キーの同一性の判断だけでなく、電子キーの識別コードの妥当性が判断される。これにより、電子キーシステムのセキュリティ性をいっそう向上させることができる。
【００６５】
（ハ）請求項２に記載の電子キーシステムにおいて、前記制御装置は、前記共通コード信号の送信毎に前記共通コード信号の少なくとも一部を自身のメモリに記憶して蓄積コードを更新し、前記電子キーは、前記共通コード信号の受信毎に前記共通コード信号の少なくとも一部を自身のメモリに記憶して前記制御装置と同一の蓄積コードを更新するとともに、更新された前記蓄積コードを前記無線信号に含ませて送信し、前記制御装置は、前記無線信号に含まれる前記蓄積コードと、自身のメモリに記憶される前記蓄積コードとの照合が成立したとき、前記制御対象の制御を実行する電子キーシステム。
【００６６】
同構成によれば、蓄積コードの照合を通じて、電子キーの同一性が保証できる。
【符号の説明】
【００６７】
１…電子キーシステム、２…車両、１０…電子キー、１１…電子キー制御部、１１ａ…メモリ、１２…ＬＦ受信部、１３…ＵＨＦ送信部、２０…車載機（制御装置）、２１…車載制御部、２１ａ…メモリ、２２…車外送信部、２３…車内送信部、２４…車載受信部。
【図１】
2011111845.tif 000003
【図２】
2011111845.tif 000004
【図３】
2011111845.tif 000005